(57)【要約】【課題】シャッターカーテン２が開作動している状態で、全開状態よりも異常に上昇した場合、該異常上昇を、異常検知スイッチ１９の探針１９ａに座板１０側が当接することで検知するよう構成するにあたり、シャッターカーテン２の上昇工程で、探針１９ａの当接面部を拡張するための当て部材１８を座板１０に設けたものにおいて、当て部材当接部１８ｂがマグサコーナー部１５ｄに当接することで傾斜した座板１０が、当接部１８ｂを過ぎたことで衝撃的な垂直姿勢への復帰を回避するようにする。【解決手段】当て部材１８の当接部１８ｂの先端部から、下側ほど座板１０から離間するように傾斜した第一傾斜面部１８ｄと、逆側に傾斜した第二傾斜面部１８ｅとを有するく字形の延出部１８ｃを形成して衝撃的な姿勢復帰を回避するようにする。【選択図】図６
2019120000.tif 000002
【特許請求の範囲】
【請求項１】
開口部の開閉をするためのシャッターカーテンと、該シャッターカーテンを昇降案内すべく左右に設けられるガイドレールと、シャッターカーテンが巻装される巻取りシャフトと、該巻取りシャフトの正逆回転駆動を行う電動式の開閉機とを備えて構成される建築用電動シャッター装置において、
シャッターカーテン最下端の座板が全開位置を越える異常上昇をした場合に、前記座板に干渉して異常上昇を検知するための探針を備えた異常検知スイッチを設ける一方、前記座板に、異常検知スイッチ側に突出していて探針に当接するための当て部材を設けるにあたり、
前記当て部材は、シャッターカーテンのカーテン厚よりも異常検知スイッチ側に向けて突出する当接部と、該当接部の先端部から下方に向けて延出する延出部とを備えて構成されていることを特徴とする建築用電動シャッター装置。
【請求項２】
延出部は、下側ほど座板から離間するよう傾斜していることを特徴とする請求項１記載の建築用電動シャッター装置。
【請求項３】
延出部は、垂直状に垂下していることを特徴とする請求項１記載の建築用電動シャッター装置。
【請求項４】
延出部は、下側部が下側ほど座板に近接するよう傾斜していることを特徴とする請求項２または３記載の建築用電動シャッター装置。
【請求項５】
延出部は、下側ほど座板に近接するよう傾斜していることを特徴とする請求項１記載の建築用電動シャッター装置。
【請求項６】
延出部は、下端部が座板に当接するか近接対向するように構成されていることを特徴とする請求項４または５記載の建築用電動シャッター装置。
【発明の詳細な説明】
【技術分野】
【０００１】
本発明は、建造物の出入り口等の躯体開口部に建て付けられる建築用電動シャッター装置の技術分野に関するものである。
【背景技術】
【０００２】
今日、出入口等の開口部に、電動式の開閉機の駆動に伴い、左右ガイドレールに案内されてシャッターカーテンが開閉作動するように構成した建築用の電動シャッター装置を建て付けることがあるが、この様な電動シャッター装置において、これが例えば重量式のものである場合に、開作動をしているシャッターカーテンが最上昇位置（全開位置）を越えてさらに上昇してしまうような異常上昇をしたときに、該異常上昇を、異常検知スイッチ（エマージェンシースイッチ、異常検知センサ、エマージェンシーセンサ）により検知し、該検知に基づき開閉機を緊急停止させてシャッターカーテンの異常上昇に起因する不具合発生を回避するように対処しているものがある。
ところでこのような異常上昇は、例えばシャッターカーテン最下端の座板（座板スラット）が、開口部上端に設けたマグサの上端部を越えた上昇をするような場合であり、そこで、マグサよりも上方に前記異常検知スイッチを設け、該異常検知スイッチの探針（スイッチバー）に、前記異常上昇したシャッターカーテンの最下端に設けられる座板（座板スラット）の上面部が直接当接（干渉）することに基づいて異常検知をするように構成したものが提唱されている（例えば特許文献１参照。）。
【先行技術文献】
【特許文献】
【０００３】
【特許文献１】特開２０１５−８６６０３号公報
【発明の概要】
【発明が解決しようとする課題】
【０００４】
ところで前記のような異常検知をするにあたり、座板が開口部の出入り方向前後に幅広なものである場合、座板上面部に、前記探針に直接当接するための当接面部を広く確保できることになるが、座板が前後方向に幅狭である場合に十分な広さの当接面部を確保できないことが想定され、前記異常上昇があった場合に当接面部が探針に当接することの信頼性を確保することが難しくなる惧れがある。
このため、探針を長くして座板当接面部への当接の信頼性を確保しようとした場合、探針がシャッターカーテンのカーテン面に近接したものとなり、このためシャッターカーテンが風を受けて撓んだり、シャッターカーテンがガイドレールとのあいだにある隙間を探針側に移動したような場合に、探針がシャッターカーテンのカーテン厚内に入り込んだ状態になって該探針がシャッターカーテンの中途部位に当接して誤った異常上昇の検知をしてしまうという惧れがある。
そこで座板の上面部に、異常検知スイッチ側に突出するよう当て部材を設け、該当て部材が、前記シャッターカーテンの異常上昇があった場合に、マグサよりも上方に配した探針に当接することで異常検知スイッチが間接的に座板干渉をして異常上昇の検知がなされるように構成することが提唱される。
しかしながら該当て部材は、シャッターカーテンの通常の上昇過程において、マグサ下端縁を通り過ぎるようにして上昇することになるが、この場合に前記シャッターカーテンが撓む等して当て部材がマグサに下側から重合する状態となることが想定され、仮にこの様になると、該当て部材がマグサ下端縁に係止状に当接する状態で最上昇位置側に向けて上昇し続けることになる。
ところで仮にこのような係止状態で座板が上昇した場合には、該座板は、垂直姿勢（自重垂下姿勢）から異常検知スイッチ配設側とは反対側が持上がる傾斜状態となり、この状態から座板がさらに上昇していって当て部材がマグサ下端縁を通り越すと、座板は、当て部材のマグサ当接から突然開放されることになって、垂直姿勢に復帰しようとするが、この垂直姿勢への復帰が衝撃的に行われるため、異音が発生するだけでなく、座板に設けられる障害物検知スイッチが前記衝撃的な復帰作動を受けて誤感知してしまうような不具合が発生する可能性が予測され、本発明はこれらの問題点を解決せんとして創作されたものである。
【課題を解決するための手段】
【０００５】
本発明は、上記の如き実情に鑑みこれらの課題を解決することを目的として創作されたものであって、請求項１の発明は、開口部の開閉をするためのシャッターカーテンと、該シャッターカーテンを昇降案内すべく左右に設けられるガイドレールと、シャッターカーテンが巻装される巻取りシャフトと、該巻取りシャフトの正逆回転駆動を行う電動式の開閉機とを備えて構成される建築用電動シャッター装置において、シャッターカーテン最下端の座板が全開位置を越える異常上昇をした場合に、前記座板に干渉して異常上昇を検知するための探針を備えた異常検知スイッチを設ける一方、前記座板に、異常検知スイッチ側に突出していて探針に当接するための当て部材を設けるにあたり、前記当て部材は、シャッターカーテンのカーテン厚よりも異常検知スイッチ側に向けて突出する当接部と、該当接部の先端部から下方に向けて延出する延出部とを備えて構成されていることを特徴とする建築用電動シャッター装置である。
請求項２の発明は、延出部は、下側ほど座板から離間するよう傾斜していることを特徴とする請求項１記載の建築用電動シャッター装置である。
請求項３の発明は、延出部は、垂直状に垂下していることを特徴とする請求項１記載の建築用電動シャッター装置である。
請求項４の発明は、延出部は、下側部が下側ほど座板に近接するよう傾斜していることを特徴とする請求項２または３記載の建築用電動シャッター装置である。
請求項５の発明は、延出部は、下側ほど座板に近接するよう傾斜していることを特徴とする請求項１記載の建築用電動シャッター装置である。
請求項６の発明は、延出部は、下端部が座板に当接するか近接対向するように構成されていることを特徴とする請求項４または５記載の建築用電動シャッター装置である。
【発明の効果】
【０００６】
請求項１の発明とすることにより、シャッターカーテンが全開位置よりも上昇してしまった場合に、これを検知するため、シャッターカーテンのカーテン厚よりも突出していて異常検知スイッチの探針に当接する当接部が設けられた当て部材を、シャッターカーテン最下端の座板に設けたものでありながら、該当て部材は、当接部の先端部から下方に向けて延出部が形成されたものであるから、座板がシャッターカーテンと共に上昇する当接部が仮にマグサに当接する状態でマグサ下端部を通り越したとき、下側の延出部が続いてマグサに当接することになって、座板が衝撃的に垂直姿勢に復帰してしまうことを回避できて異音発生を防止できるだけでなく、障害物検知スイッチの誤作動も回避できることになる。
請求項２の発明とすることにより、傾斜した座板を、下側ほど座板から離間する延出部により正規の姿勢側に向けて矯正できて座板の姿勢復帰が穏やかになると共に、万一、当接部が探針に当接しないような場合が発生したとして、延出部が探針に当接することになって信頼性が向上する。
請求項２、３または４の発明とすることにより、座板の衝撃的な垂直姿勢への復帰回避を、座板の形状等に対応して好適なものにすることができる。
請求項４または５の発明とすることにより、延出部が、下側ほど座板に近接する構成になっていることから、傾斜状態でマグサ下端部を通り越した座板は、次第に垂直姿勢に復帰することになって、座板の安定した上昇が果たせる。
請求項６の発明とすることにより、延出部がマグサ下端部に当接する状態で座板が上昇していって延出部の下端部に達したとき、該下端部は、座板に当接または近接対向しているため、座板の衝撃的な復帰防止が最後まで図れるだけでなく、該下端部が突出状になって他部材に引っ掛かってしまうような不具合を回避することができる。
【図面の簡単な説明】
【０００７】
【図１】建築用電動シャッター装置の正面図である。
【図２】建築用電動シャッター装置の側面縦断面図である。
【図３】座板部の平面図である。
【図４】座板部の正面図である。
【図５】座板部の縦断面図である。
【図６】マグサ部位の縦断面図である。
【図７】（Ａ）（Ｂ）は当て部材の正面図、側面図である。
【図８】（Ａ）〜（Ｄ）は座板のマグサ部位での上昇工程を示す作用説明図である。
【図９】（Ａ）〜（Ｆ）は当て部材の第二〜第七の実施の形態を示す座板部位の縦断面図である。
【発明を実施するための形態】
【０００８】
まず、本発明の実施の形態について、図面に基づいて説明するが、便宜上、建築用電動シャッター装置において、人が出入りする方向を前後方向、躯体側開口部の幅方向を左右方向と定義して説明するが、方向性についてはこの表現に限定されるものでないことは勿論である。
【０００９】
図面において、１は躯体の出入り口等の開口部に建て付けられる建築用の電動シャッター装置であって、該電動シャッター装置１は、シャッターカーテン２と、開口部に設けられ、前記シャッターカーテン２の上下昇降案内をする左右のガイドレール３と、開口部の上端部に設けられるシャッターケース４とを備えて構成されるが、該シャッターケース４には、シャッターカーテン２が巻装される巻取りシャフト５、巻取りシャフト５の正逆回転駆動をするための電動式の開閉機６、該開閉機６の駆動制御をするための制御部７、開閉機６と巻取りシャフト５とを連動連結するための伝動機構８等の各種の部材装置が内装され、開口部近傍に設けた昇降停止スイッチ９のスイッチ操作に基づいて開閉機６が駆動制御をすることでシャッターカーテン２のガイドレール３に案内された開閉作動がなされること等は何れも従来通りであり、本発明はこのようなものにおいて実施できることは言うまでもない。
【００１０】
前記シャッターカーテン２は、隣接するスラット２ａ同士を上下方向にインターロック結合Ｒすることで一連状（一枚板状）に連結形成され、最下端に座板１０が設けられることで構成されるが、前記座板１０は、本実施の形態では、上側座板半部１１と下側座板半部１２とを備えて構成されている。そして上側座板半部１１は、最下端のスラット２ａの下端部に上端部がインターロック結合Ｒされる板状の連結片部１１ａと、該連結片部１１ａにボルト１０ａを介して固定される起立片部１１ｂ、該起立片部１１ｂの下端部から前後方向に幅を存した状態で、前後方向外側に向けて突出する上横片１１ｃ、該上横片１１ｃの前後端縁から下方に向けて形成される前後の脚片１１ｄを有し、下側が開口した側面視冂字形をした下側開口片部１１ｅとを備えて一体形成されている。さらに前後脚片１１ｄの下端縁には、前後方向内外に突出した内側突片１１ｆと外側突片１１ｇとが形成されている。
【００１１】
一方、下側座板半部１２は、前記内側突片１１ｆ間に遊嵌して上下移動自在な上側縦片１２ａと、該上側縦片１２ａの上端部から前後方向外側に向けて形成され、内側突片１１ｆに上側から抜け止め状に係止する係止片１２ｂと、上側縦片１２ａの下端部から上側が上側縦片１２ａに続くよう開口し、前後方向に広くなるようＣ溝状（蟻溝状）に形成された底片部１２ｃとを備えて構成されている。
【００１２】
そして座板１０は、上側座板半部１１に対し、下側座板半部１２が上側縦片１２ａの高さ範囲で上下動が許容されるようになって組み込まれることで構成されているが、さらに上側座板半部１１の上横片１１ｃの下面には、障害物検知センサ１３が設けられる。該障害物検知センサ１３は、シャッターカーテン２の下降作動（閉作動）中において障害物が下側座板半部１２に当接して該下側座板半部１２が押し上げられると、下側座板半部１２の底片部１２ｃが、上側座板半部１１に設けられた障害物検知センサ１３のセンサバー（探針）１３ａに接触して上動させることに基づいて障害物検知がなされ、これにより障害物検知信号が座板１０に設けた無線式の送信機１４から送信され、これを受けた受信機１４ａからの受信信号に基づく制御部7からの制御指令により開閉機６が緊急停止する等の必要な障害物回避作動が実行されるようになっているが、斯かる構成についても従来周知のものである。
【００１３】
このように座板１０が最下端に設けられるシャッターカーテン２は、制御部７からの制御指令に基づく開閉機６の正逆駆動によって開閉作動をすることになるが、シャッターカーテン２が正常な全開位置で停止した場合、該座板１０は、開口部上端に設けた前後のコ字形をしたマグサ１５の縦片部１５ｂ間に遊嵌状に嵌入し、上横片１１ｃがマグサ１５の上片部１５ａに略相当する位置（本実施の形態ではマグサ上片部１５ａよりも少し下位置）に位置し、底片部１２ｃの下面がマグサ１５の下片部１５ｃに略相当する位置に位置するように設定されている。
尚、図中、１６はガイドレール３の上端部に設けられ、巻取りシャフト５から繰出されるシャッターカーテン２をガイドレール３に案内するための呑み込みガイド部、１７はシャッターカーテン２の案内をするローラー状のスムーサガイドであり、これらは何れもシャッターケース４内に配設されている。また、開閉機６、制御部７は、シャッターケース４内の左右何れか一側に偏倚する状態で設けられている。
【００１４】
１８は本発明が実施された当て部材であって、該当て部材１８は、前記上側座板半部１１の起立片部１１ｂと前後方向に重合する状態で連結片部１１ａに前記ボルト１０ａを介して一体的に固定される縦板状の固定片部１８ａと、該固定片部１８ａの下端部から開閉機６側（後述する異常検知スイッチ１９側）に向けて突出するよう折曲される当接部１８ｂと、該当接部１８ｂの先端部から下方に向けて延出するよう折曲される延出部１８ｃとを備えて構成されている。
そして当て部材１８は、左右方向開閉機６側に偏倚した位置において、前記固定片部１８ａを起立片部１１ｂに固定（取り付け）することにより座板１０に設けられるが、この場合に、当接部１８ｂは、横上片１１ｃの上面に当接（積層）する状態で、該上横片１１ｃの開閉機６側の端縁よりも該開閉機６側に突出しており、この突出相当部分が、後述する異常検知スイッチ１９の探針１９ａが当接して異常上昇の検知をするため拡張された当接面部となっており、これによって該当接面部を、上横片１１ｃだけとした場合よりも開閉機６側に広く確保できるようにしている。
【００１５】
一方、当接部１８ｂの先端部から下側に延出する延出部１８ｃは、本実施の形態では、下側ほど座板１０から離間する（異常検知スイッチ１９が配される側のマグサ１５に近接する）よう傾斜した上側の第一の傾斜面部１８ｄと、該第一傾斜面部１８ｄの下端部から逆に下側ほど座板１０に近接するよう傾斜した下側の第二傾斜面部１８ｅとにより側面視く字形に形成されているが、該第二傾斜面部１８ｅの下端部は、前記上側座板半部１１の外側突片１１ｇに上側から係止（当接）するように設定されている。
【００１６】
また前記異常検知スイッチ１９は、前記開閉機６が配される側に偏倚し、当て部材１８に対向するようシャッターケース４内にブラケット１９ｂを介して取り付けられるが、該異常検知スイッチ１９の探針１９ａは、マグサ１５の上片部１５ａよりも上側に位置する状態で、当接部１８ｂの上側対向位置に配されている。そして異常検知スイッチ１９は、開作動をしているシャッターカーテン２が前記全開位置を越えて上昇するという異常上昇をした場合に、当接部１８ｂが探針１９ａに当接することになってスイッチ切り換えがなされて異常上昇が検知され、これに基づく制御指令により開閉機６の緊急停止をしてこれ以上の異常上昇がなされないように設定している。
【００１７】
叙述の如く構成された本発明の実施の形態において、開閉機６の駆動に伴いシャッターカーテン２が開作動をしたときに、シャッターカーテン２が全開位置を越えて上昇する異常が発生した場合に、座板１０は、上横片１１ｃがマグサ１５の上片部１５ａを越えて上昇することになり、この場合に、座板１０に設けた当て部材１８の当接部１８ｂが異常検知スイッチ１９の探針１９ａに当接することになって異常上昇の検知がなされ、開閉機６の緊急停止がなされることになる。
【００１８】
このように本発明が実施されたものにおいては、シャッターカーテン２の開作動の工程において前記異常上昇があったとき、前記当接面部が異常検知スイッチ１９側に拡張された当接部１８ｂが探針１９ａに当接（図８（Ｄ）参照）することで異常検知スイッチ１９による異常検知がなされて緊急停止することになる。
【００１９】
このようなシャッターカーテン２の開作動の工程において、シャッターカーテン２が前後方向に撓んだり移動したりして前記拡張された当接部１８ｂがマグサ１５の下片部１５ｃに当接したことにより、座板１０が、下側が異常検知スイッチ１９が設けられる側とは反対側に傾斜した状態となって上昇していく（図８（Ａ）参照）ことになるが、この状態からさらに上昇して、当接部１８ｂがマグサ１５の下片部１５ｃと縦片部１５ｂとのあいだのコーナー部１５ｄを通り過ぎると、本実施の形態では、上側の第一傾斜面部１８ｄがマグサ１５の下端部のコーナー部１５ｄに摺接する状態（図８（Ｂ）参照）となり、しかる後、第一、第二傾斜面部１８ｄ、１８ｅとのあいだのコーナー部１８ｆがマグサ１５の縦片部１５ｂに摺接する状態（図８（Ｃ）参照）で上昇する。
因みに本実施の形態では、当て部材１８を、シャッターカーテン２の異常検知スイッチ１９が配される側の左右方向端縁部に、ガイドレール３には入り込まない状態で設けられたものとなっており、これによって、該シャッターカーテン２の左右方向端縁部は、シャッターカーテン２が風を受けて前後方向に撓んだようなときに、シャッターカーテンのガイドレール３に嵌入した部位が該ガイドレール３に当接することになって前後方向の移動規制（撓み規制）を受けることになり、このためシャッターカーテン２の端縁部は、前記撓んだときに、シャッターカーテン２の左右方向中央部位よりも小さな撓み代での移動となって、当接部１８ｂがマグサコーナー部１５ｄに可及的に当接することがないように配慮されているが、このような配慮をしているにもかかわらず、当接部１８ｂがマグサ１５に当接したような場合に、本発明の有効性がより発揮されることになる。
【００２０】
このように本実施の形態では、当接部１８ｂが、マグサコーナー部１５ｄに当接して座板１０が傾斜した状態からさらに上昇して該コーナー部１５ｄよりも上昇すると、該当接部１８ｂから下側に向けて延出される延出部１８ｃがコーナー部１５ｄに当接することになり、この結果、座板１０は前記傾斜した姿勢が維持されることになって、延出部１８ｃがない場合のように、衝撃的に垂直姿勢に復帰することが回避される。この結果、衝撃的な復帰に伴い異音が発生することを防止できるだけでなく、衝撃的な復帰に伴う振動を受けて障害物検知センサ１３が誤検知してしまうような不具合も回避することができる。
【００２１】
しかもこのものでは、マグサコーナー部１５ｄは、当接部１８ｂから第一傾斜面部１８ｄに当接することになるが、該第一傾斜面部１８ｄは下側ほど座板１０から離間する状態に傾斜しているため、座板１０は、マグサ１５に近接する偏倚姿勢から正常な垂直姿勢側に向けて矯正されることとなって、座板１０の穏やかな姿勢復帰が確実にできることになる。
そのうえ第一傾斜面部１８ｄは、下側ほど座板１０から離間する状態に傾斜しているため、万が一、当接部１８ｂが探針１９ａに接触しないような更なる異常が発生した場合、第一傾斜面部１８ｄが探針１９ａに当接することになって、異常回避の確実性を向上できることになる。
【００２２】
そのうえこのものでは、延出部１８ｃの下側である第二傾斜面部１８ｅが下側ほど座板１０に近接するよう傾斜しているため、第一傾斜面部１８ｂを過ぎた以降においても座板１０の衝撃的な姿勢復帰を回避できることになるが、さらに第二傾斜面部１８ｅの下端部が座板外側突部１１ｇに上側から当接していることにより、当て部材１８の下端部が突起状になったままとなることがなく、この結果、当て部材１８の下端部が他部材に引っ掛かったりする不具合発生が回避されることになる。
【００２３】
尚、本発明は前記実施の形態のものに限定されないものであることは勿論であって、当て部材としては、シャッターカーテンのカーテン厚よりも異常検知スイッチ側に向けて突出する当接部と、該当接部の先端部から下方に向けて延出する延出部とを備えて構成されていれば足り、例えば座板の板厚が、シャッターカーテンのカーテン部分（座板を除いた部分）の板厚よりも薄い場合には、当て部材は、当接部がカーテン厚よりも異常検知スイッチ側に突出していて、探針がカーテン面に当接しないものとすることができる。
また当て部材としては、前記第一の実施の形態のように第二傾斜面部がなく、図９（Ａ）（Ｂ）（Ｃ）に示す第二、第三、第四の実施の形態のように、延出部１８ｃが、下側ほど座板１０から離間するよう傾斜したもの、垂直状になったもの、下側ほど座板１０に近接するよう傾斜したものとすることができ、また同図（Ｄ）に示す第五の実施の形態のように、延出部として、前記第一、第二傾斜面部１８ｄ、１８ｅのあいだに垂直状の第三面部１８ｇが設けられたもの、同図（Ｅ）（Ｆ）に示す第六、第七の実施の形態のように垂直状または下側ほど座板側に傾斜した第一面部１８ｈの下端から延長するよう下側ほど座板１０に近接するよう傾斜した第二面部１８ｉが設けられたものとしても実施することができる。
【産業上の利用可能性】
【００２４】
本発明は、出入口等の開口部に、左右ガイドレールに案内されてシャッターカーテンが開閉作動するように構成した電動式の建築用シャッター装置において、シャッターカーテンが全開位置を越えた異常上昇を回避するものとして利用できる。
【符号の説明】
【００２５】
１  電動シャッター装置
２  シャッターカーテン
３  ガイドレール
１０  座板
１１  上側座板半部
１２  下側座板半部
１５  マグサ
１５ａ  上片部
１５ｃ  下片部
１５ｄ  コーナー部
１８  当て部材
１８ｂ  当接部
１８ｃ  延出部
１８ｄ  第一傾斜面部
１８ｅ  第二傾斜面部
１８ｆ  コーナー部
１９  異常検知スイッチ
１９ａ  探針
【図１】
2019120000.tif 000003
【図２】
2019120000.tif 000004
【図３】
2019120000.tif 000005
【図４】
2019120000.tif 000006
【図５】
2019120000.tif 000007
【図６】
2019120000.tif 000008
【図７】
2019120000.tif 000009
【図８】
2019120000.tif 000010
【図９】
2019120000.tif 000011